(57)【要約】【課題】電動リールのモータにおいて、結露等により水分が付着しても内部へ水分が浸入しにくくする。【解決手段】電動リールのモータ４は、電動リールのリール本体に回転自在に支持されたスプールを駆動するモータであって、ケース部材３１と、蓋部材３２と、出力軸３０と、封止部材３３と、を備えている。ケース部材３１は、リール本体に蓋部材３２を介して固定され円形の開口３１ａを有する有底筒状の部材である。蓋部材３２は、ケース部材３１に固定され開口３１ａを塞ぐための部材である。出力軸３０は、ケース部材３１及び蓋部材３２に回転自在に支持されたものである。封止部材３３は、開口３１ａ側でケース部材３１と蓋部材３２とのカシメ固定部分４４に少なくとも形成された部材である。【選択図】図５
2009284793.tif 000002
【特許請求の範囲】
【請求項１】
電動リールのリール本体に回転自在に支持されたスプールを駆動する電動リールのモータであって、
前記リール本体に対して固定され円形の開口を有する筒状のケース部材と、
前記ケース部材に固定され前記開口を塞ぐための蓋部材と、
前記ケース部材及び前記蓋部材に回転自在に支持された出力軸と、
前記開口側で前記ケース部材と前記蓋部材との固定部分に少なくとも形成された封止部材と、
を備えた電動リールのモータ。
【請求項２】
前記ケース部材表面には、前記カシメ固定部分を含んで防錆塗装膜が形成されている、請求項１に記載の電動リールのモータ。
【請求項３】
前記蓋部材は、前記ケース部材にカシメ固定されており、
前記封止部材は、前記カシメ固定部分に形成されている、請求項１又は２に記載の電動リールのモータ。
【請求項４】
前記ケース部材は、前記開口側に折り曲げ可能な少なくとも一つの舌片を有し、
前記蓋部材は、前記折り曲げられた舌片が係合する係合凹部を有し、
前記封止部材は、前記舌片を覆うように前記係合凹部に形成されている、請求項３に記載の電動リールのモータ。
【請求項５】
前記封止部材は、シアノアクリレート（cyanoacrylate）を主成分とする接着剤により形成されている、請求項１から４のいずれか１項に記載の電動リールのモータ。
【請求項６】
前記封止部材は、前記蓋部材と前記開口との境界部分の全周にわたり形成されている、請求項１から５のいずれか１項に記載の電動リールのモータ。
【発明の詳細な説明】
【技術分野】
【０００１】
本発明は、モータ、特に、電動リールのリール本体に回転自在に支持されたスプールを駆動する電動リールのモータに関する。
【背景技術】
【０００２】
糸巻き上げ時のスプールの回転をモータで行うことのできる電動リールは、リール本体と、リール本体に回転自在に支持されたスプールと、スプールを手動で回転させるためのハンドルと、スプールを巻き上げ方向に駆動する電動のモータとを備えている。リール本体の上面には、水深表示用のディスプレイや各種の入力を行うスイッチが設けられたカウンターケースが装着されている。
【０００３】
電動リールのモータは、スプールの前方やスプールの内部に設けられている。モータは、開口を一端に有するケース部材と、ケース部材の開口を塞ぐための蓋部材と、ケース部材の内周面に固定された固定子と、ケース部材及び蓋部材に回転自在に装着された回転子と、を有している。ケース部材は、金属製の有底筒状の部材であり、開口側に形成された舌片を折り曲げることにより蓋部材をカシメ固定している。従来、これらのモータはリール本体の前部又はスプール内に形成されたシールされた収納空間内に配置されている（例えば、特許文献１及び２参照）。
【特許文献１】特許第３５１５８９９号公報
【特許文献２】特許２００３−３２４９２４号公報
【発明の開示】
【発明が解決しようとする課題】
【０００４】
従来、シールされた収納空間にモータを配置しても、収納空間内の結露等によりモータ表面に水分が付着すると、モータ内部に水分が浸入するおそれがある。特にスプールの前方にモータの収納空間を形成すると、スプール内部に収納した場合に比べて外気の影響を受けやすくなり、温度変化が激しくなり、結露が生じやすくなる。
【０００５】
本発明の課題は、電動リールのモータにおいて、結露等により水分が付着しても内部へ水分が浸入しにくくすることにある。
【課題を解決するための手段】
【０００６】
発明１に係る電動リールのモータは、電動リールのリール本体に回転自在に支持されたスプールを駆動するモータであって、ケース部材と、蓋部材と、出力軸と、封止部材と、を備えている。ケース部材は、リール本体に対して固定され円形の開口を有する筒状の部材である。蓋部材は、ケース部材に固定され開口を塞ぐための部材である。出力軸は、ケース部材及び蓋部材に回転自在に支持されたものである。封止部材は、開口側でケース部材と蓋部材との固定部分に少なくとも形成された部材である。
【０００７】
このモータでは、ケース部材の内部に、たとえば磁石で構成された固定子とコイルで構成された回転子が配置され、回転子に出力軸が連結されケース部材の開口が蓋部材により固定されている。このケース部材と蓋部材との固定部分に封止部材が形成されている。ここで、固定部分には、たとえばねじ固定やカシメ固定などの固定手段が通常用いられているが、いずれも隙間が形成されやすくなり、その隙間から水分がケース部材の内部に進入するおそれがある。そこで、この固定部分に封止部材を形成することで、固定部分からの水分の進入を防止できる。ここでは、隙間が形成されやすい蓋部材とケース部材との固定部分に少なくとも封止部材が形成されているので、結露等により水分がモータに付着しても内部に水分が浸入しにくくなる。
【０００８】
発明２に係る電動リールのモータは、発明１に記載のモータにおいて、ケース部材表面には、カシメ固定部分を含んで防錆塗装膜が形成されている。この場合には、カシメ固定部分を含んで表面に防錆塗装膜が形成されているので、さらに水分が内部に浸入しにくくなる。
【０００９】
発明３に係る電動リールのモータは、発明１又は２に記載のモータにおいて、蓋部材は、ケース部材にカシメ固定されており、封止部材は、カシメ固定部分に形成されている。この場合には、ケース部材や蓋部材を塑性変形させてカシメ固定する際に生じる隙間を封止部材により塞ぐことができ、蓋部材をケース部材にカシメ固定しても水分がモータ内部に浸入しにくくなる。
【００１０】
発明４に係る電動リールのモータは、発明３に記載のモータにおいて、ケース部材は、開口側に折り曲げ可能な少なくとも一つの舌片を有し、蓋部材は、折り曲げられた舌片が係合する係合凹部を有し、封止部材は、舌片を覆うように係合凹部に形成されている。この場合には、舌片を係合凹部に向けて折り曲げてカシメ固定して隙間が形成されても、その部分に封止部材が形成されているので、隙間から内部への水分の浸入を防止できる。
【００１１】
発明５に係る電動リールのモータは、発明１から４のいずれかに記載のモータにおいて、封止部材は、シアノアクリレート（cyanoacrylate）を主成分とする接着剤により形成されている。この場合には、比較的粘度が水程度に低く浸透しやすい接着剤で封止部材形成しているので、固定部分の隙間に封止部材が浸入しやすくなる。
【００１２】
発明６に係る電動リールのモータは、発明１から５のいずれかに記載のモータにおいて、封止部材は、蓋部材と開口との境界部分の全周にわたりさらに形成されている。この場合には、固定部分に加えて開口と蓋部材との境界部分にも封止部材が形成されるので、開口と蓋部材との隙間から水分が内部に浸入しにくくなる。
【発明の効果】
【００１３】
本発明によれば、隙間が形成されやすい蓋部材とケース部材との固定部分に少なくとも封止部材が形成されているので、結露等により水分がモータに付着しても内部に水分が浸入しにくくなる。
【発明を実施するための最良の形態】
【００１４】
＜全体構成＞
本発明の一実施形態を採用した電動リールは、図１に示すように、主にハンドル１が装着されたリール本体２と、リール本体２に回転自在に装着されたスプール３と、スプール３内に装着されたモータ４とを備えている。リール本体２の上部には、水深表示等を行うためのカウンターケース５が装着されている。リール本体２の内部には、図２に示すように、ハンドル１の回転をスプール３に伝達するとともにモータ４の回転をスプール３に伝達する回転伝達機構６が設けられている。
【００１５】
＜リール本体の構成＞
リール本体２は、図２に示すように、フレーム１３と、フレーム１３の両側方を覆う側カバー１４，１５と、モータ４を装着するためのモータホルダ２７と、を有している。フレーム１３は、アルミニウムダイキャスト製の一体成形された部材であり、左右１対の側板１６，１７と、側板１６，１７を複数箇所で連結する連結部材１８とを有している。下部の連結部材１８には、釣り竿を装着するための竿装着脚１９が装着されている。側板１６は、周縁部にリブを有する板状部材である。モータホルダ２７は、アルミニウムダイキャスト製の部材であり、側板１６の中心部の軸方向外側に配置され、固定ボルト２６により側板１６に固定されている。
【００１６】
モータホルダ２７には、モータ４が着脱可能に装着されている。モータ４は、スプール３内に形成されたモータ収納空間３ａに収納されている。モータ収納空間３ａは、グリス等によりシールされている。モータホルダ２７の内部には、図２に示すように、軸方向内方（図２右方）に突出する筒状のモータ保持部２７ａとモータ保持部２７ａの内周側から軸方向外方（図２左方）に突出するクラッチ収納部２７ｂとが形成されている。モータ保持部２７ａの軸方向内側の端面には、モータ４の基端部（後述する蓋部材３２）が取付ボルト２３により締結されている。また、モータ保持部２７ａの外周面には、スプール３の一端を回転自在に支持するためのシール付きの転がり軸受２５が装着されている。転がり軸受２５の外輪２５ａは、スプール３の内周面に装着され、内輪２５ｂは、モータ保持部２７ａの外周面に装着され、モータ４とモータ保持部２７ａとによって挟持されている。クラッチ収納部２７ｂの内周面には、ワンウェイクラッチ２９が装着されている。ワンウェイクラッチ２９は、ローラ式のものであり、モータ４の出力軸３０（後述）の糸繰り出し方向の回転を禁止する。また、モータホルダ２７の外側面には、図３に示すように、放射状に多数の放熱フィン２７ｃが形成されている。さらに、モータホルダ２７には、後述するセンサ配線８４が通過可能な配線取出孔２７ｄと、モータ４の１対の配線端子７０ｂが通過可能な１対の取出孔２７ｅと、が形成されている。これらの孔２７ｄ，２７ｅは、センサ配線８４が挿通された後や配線端子７０ｂにモータ配線が接続された後に、シリコンゴムなどの適宜の封止剤により封止される。
【００１７】
〔モータの構成〕
モータ４は、リール本体２に回転自在に支持されたスプール３を糸巻取方向に駆動する。モータ４は、図４に示すように、基端に円形の開口３１ａを有する有底筒状のケース部材３１と、開口を塞ぐためにケース部材３１の基端に固定された蓋部材３２と、ケース部材３１と蓋部材３２とに回転自在に装着された出力軸３０と、開口３１ａ側でケース部材３１と蓋部材３２との固定部分に少なくとも形成された封止部材（図５参照）３３と、を有している。
【００１８】
ケース部材３１は、有底筒状の部材であり、底部で出力軸３０を回転自在に支持している。ケース部材３１は、蓋部材３２を介してリール本体２に対して固定されている。
【００１９】
ケース部材３１は、開口３１ａ部分に周方向に間隔を隔てて形成されたカシメ固定用の複数（たとえば２つ）の舌片３１ｂ，３１ｂと、２つの舌片３１ｂ，３１ｂの間に形成された位置決め凹部３１ｃと、を有している。舌片３１ｂ，３１ｂは、内側に折り曲げ可能なものであり、開口３１ａに周方向に僅かな間隔で形成された２つのスリットにより概ね矩形に形成されている。位置決め凹部３１ｃは、概ね矩形に切り欠かれて形成されている。ケース部材３１の外周面には、鋼鉄製の筒状のフラックスリング３６が固定されている。フラックスリング３６は、ケース部材３１の外周面から磁束が漏れるのを抑制してモータ４の効率を向上させるために設けられている。
【００２０】
ケース部材３１の内部には、永久磁石を有する界磁（固定子）６７と、コイルを有する電機子（回転子）６８と、整流子６９と、ブラシ７０とが配置されている。ケース部材３１は、深絞りプレス成形された金属製の部材であり、その底部に軸受７６ｂを介して出力軸３０が回転自在に支持されている。
【００２１】
蓋部材３２は、モータホルダ２７に固定されている。蓋部材３２は、円板状の、たとえばアルミニウム合金製の部材であり、ケース部材３１にカシメ固定されている。蓋部材３２に、軸受７６ａを介して出力軸３０が回転自在に支持されている。軸受７６ａ，７６ｂは、外周面が球面のたとえば真鍮製の滑り軸受である。蓋部材３２は、軸方向に沿って貫通して形成された１対の取出溝３２ａと、取付ボルト２３がねじ込まれる、たとえば２つのねじ孔３２ｂと、を有している。また、蓋部材３２には、基端側の側面及び外周面に凹んで形成された２つの係合凹部３２ｃ，３２ｃと、基端側外周面にケース部材３１の板厚分突出して形成された位置決め突起３２ｄと、を有している。係合凹部３２ｃは、内側に折り曲げられた舌片３１ｂに係合可能な形状であり、舌片３１ｂを係合凹部３２ｃに向けて内側に折り曲げることにより、蓋部材３２がケース部材３１にカシメ固定される。蓋部材３２は、カバーされた状態でモータホルダ２７に固定されている。
【００２２】
封止部材３３は、図５に示すように、舌片３１ｂ，３１ｂと係合凹部３２ｃ，３２ｃとで構成されたカシメ固定部分３４に舌片３１ｂを覆うように形成されている。封止部材３３は、たとえば、シアノアクリレート（cyanoacrylate）を主成分とする接着剤で形成されている。具体的には、カシメ固定部分３４に舌片３１ｂを覆うように封止部材３３となる接着剤を塗布することにより形成されている。シアノアクリレート形の接着剤は粘度が水と同等程度に低いので、カシメ固定部分３４に舌片３１ｂを覆うように塗布すると、舌片３１ｂと係合凹部３２ｃとの隙間に入り込みやすい。このため、カシメ固定部分３４の隙間を確実にシールできる。また、接着剤が凝固するまでの時間が短いので、作業性が向上する。
【００２３】
モータ４のケース部材３１及び蓋部材３２の外側面には、カシメ固定部分３４を含めて防錆塗装膜３５が形成されている。このようにカシメ固定部分を含んで表面に防錆塗装膜３５が形成されているので、さらに水分がモータ４の内部に浸入しにくくなる。
【００２４】
出力軸３０は、ケース部材３１と蓋部材３２とに回転自在に装着されている。出力軸３０の左端は蓋部材３２から突出しており、そこには、セレーション３０ａが形成され、モータ４の逆転を防止するワンウェイクラッチ２９がたとえばセレーション結合により回転不能に固定されている。出力軸３０の右端部３０ｂは、図２に示すようにケース部材３１の先端から突出している。この突出した先端には、回転伝達機構６を構成する２段減速の遊星歯車機構４０が装着されている。
【００２５】
界磁６７は、ケース部材３１の内周面に固定されてりおり、希土類合金粉末をたとえば筒状に焼結して固めて得られた円筒状の異方性磁石である。
【００２６】
電機子６８は、界磁６７の内周面に対向して配置されている。電機子６８は、放射状に突出する、たとえば５つの極部を有する電機子鉄心７７と、電気子鉄心７７の極部に巻回されたコイル７８とを有している。電機子鉄心７７は、アモルファス珪素合金製の薄板を重ねて形成したものであり、ヒステリシスロスが少ない高い透磁率を有するものである。
【００２７】
整流子６９は、出力軸３０に電気的に絶縁して固定された筒状の絶縁部材６９ａの外周面に周方向に５つ分割されて形成された導体である。整流子６９は、ブラシ７０に電気的に接続されている。
【００２８】
ブラシ７０は、蓋部材３２に装着された絶縁体製の取付部材７０ａに固定されており、整流子６９の対向する周面で整流子６９に電気的に接続されている。ブラシ７０は、蓋部材３２の１対の取出溝３２ａを貫通して外部に突出するように配置された２つの配線端子７０ｂに電気的に接続されている。この取出溝３２ａと配線端子７０ｂの隙間は、たとえば瞬間接着剤により封止されている。これにより、モータ４内部への液体の浸入を阻止している。また、配線端子７０ｂはモータホルダ２７の取出孔２７ｅを通ってモータホルダ２７の外部に露出している。配線端子７０ｂには、図示しないモータ配線が接続され、モータ配線はカウンターケース５の内部に導入されている。
【００２９】
蓋部材３２の背面には、温度検出部８０が設けられている。温度検出部８０は、蓋部材３２に固定、好ましくは、２本の取付ねじ３８によりねじ止め固定された回路基板８１と、蓋部材３２に接触可能に回路基板８１に装着された、好ましくはサーミスタからなる温度センサ８２と、を有している。回路基板８１には、センサ配線８４を接合するための２つの配線パッド８３が表面に形成されており、温度センサ８２と配線パッド８３とを接続する回路パターン（図示せず）が、たとえば裏面に形成されている。配線パッド８３に接続されたセンサ配線８４は、図２に示すように、配線取出孔２７ｄを通ってモータホルダ２７の外部に導出され、カウンターケース５の内部に導入されている。このように、温度センサ８２を蓋部材３２に設けると、配線作業がセンサ配線８４をモータホルダ２７の配線取出孔２７ｄを挿通させてカウンターケース５に導入する作業だけでよいので、センサ配線８４の配線作業も容易になる。
【００３０】
カウンターケース５は、釣り糸の先端に装着された仕掛けの水深を表示するとともに、モータ４を制御するために設けられている。カウンターケース５には、図１に示すように、仕掛けの水深データＬＸや棚位置を水面からと底からとの２つの基準で表示するための液晶表示ディスプレイからなる水深表示部９８と、水深表示部９８の周囲に配置された複数のスイッチからなる操作キー部９９とが設けられている。
【００３１】
操作キー部９９は水深表示部９８の右側に上下に配置された棚メモ用の棚メモボタンＴＢと、スプール３を最も高速で回転させる速巻用の速巻ボタンＨＢと、水深表示部９８の下側に左右に並べて配置されたメニューボタンＭＢと、決定ボタンＤＢとを有している。棚メモボタンＴＢは、操作したときの仕掛けの水深を棚位置として設定するためのボタンである。速巻ボタンＨＢは、仕掛けを回収するときなどにスプール３を高速で巻取方向に回転させるときに使用するボタンである。メニューボタンＭＢは、水深表示部９８内の表示項目を選択するために使用されるボタンである。決定ボタンＤＢは、選択結果を確定して設定するボタンである。また、決定ボタンＤＢをたとえば３秒以上長押しすると、そのときの水深データＬＸが水深０の基準位置としてセットされる０セット処理を行える。以降はセットされた基準位置からの糸長で水深データＬＸが表示される。なお、釣り人は通常、仕掛けが海面に着水したときに決定ボタンを長押しして０セットする。また、６ｍ以下の水深で棚メモボタンＴＢと速巻ボタンＨＢとの同時長押し操作によりスプール回転数と糸長との関係を学習する糸巻学習モードに入ることができる。
【００３２】
また、カウンターケース５の内部には、液晶ディスプレイからなる水深表示部９８やモータ４を制御するためのマイクロコンピュータからなるモータ制御部（図示せず）が収納されている。モータ制御部には、操作キー部９９と、側カバー１５に揺動自在に装着されスプールの速度や釣り糸の張力を調整するための調整レバー１０１と、スプール３の回転数と回転方向とを検出するスプールセンサ（図示せず）と、モータ４の温度を検出する温度センサ８２と、水深表示部９８と、モータ４をパルス幅変調（ＰＷＭ）したデューティ比で駆動するモータ駆動部（図示せず）と、が接続されている。モータ制御部は、調整レバー１０１の操作量に応じてモータ４の巻き上げ速度や巻き上げトルクを制御する。また、スプールセンサの出力により釣り糸の先端に取り付けられる仕掛けの水深を算出し、それを水深表示部９８に表示する。さらに、温度センサ８２が設定された上限温度を検出するとモータ４の過熱を防止するためにモータ４を停止する。
【００３３】
＜他の実施形態＞
（ａ）前記実施形態では、封止部材３３をカシメ固定部分３４だけに形成したが、カシメ固定部分３４を含めて蓋部材３２と開口３１ａとの境界部分の全周にわたり封止部材を形成してもよい。
【００３４】
（ｂ）前記実施形態では、スプール３のモータ収納空間３ａに収納されるモータ４を例に本発明を説明したが、スプールの前方でリール本体に形成されたモータ収納空間に収納されるモータにも本発明を適用できる。
【００３５】
（ｃ）前記実施形態では、封止部材としてシアノアクリレート（cyanoacrylate）を主成分とする接着剤を用いたが、本発明はこれに限定されず、シリコンゴム等のシール剤を用いてもよい。
【００３６】
（ｄ）前記実施形態では、封止部材３３を形成してから防錆塗装膜３５を形成しているが、防錆塗装膜を形成してから封止部材を形成してもよい。
【００３７】
（ｅ）前記実施形態では、封止部材が形成される固定部分としてケース部材３１への蓋部材３２のカシメ固定部分３４を例示したが、本発明の固定部分はカシメ固定部分に限定されず、弾性係止やねじ止め等の固定部分も本発明に含まれる。
【００３８】
（ｆ）前記実施形態では、蓋部材３２がリール本体２を構成するモータホルダ２７に固定されているが、ケース部材がリール本体に固定されていてもよい。
【００３９】
（ｇ）前記実施形態では、ケース部材３１が有底筒状であったが、ケース部材が筒状部と底部とに分割されているものであってもよい。
【図面の簡単な説明】
【００４０】
【図１】本発明の一実施形態が採用された電動リールの斜視図。
【図２】その縦断面図。
【図３】ハンドルと逆側の側カバーを外した状態の電動リールの側面一部断面図。
【図４】モータの分解斜視図。
【図５】封止部材の形成部分を示す図２の断面拡大部分図。
【符号の説明】
【００４１】
２  リール本体
３  スプール
４  モータ
３０  出力軸
３１  ケース部材
３１ａ  開口
３１ｂ  舌片
３２  蓋部材
３２ｃ  係合凹部
３３  封止部材
３４  カシメ固定部分
３５  防錆塗装膜
【図１】
2009284793.tif 000003
【図２】
2009284793.tif 000004
【図３】
2009284793.tif 000005
【図４】
2009284793.tif 000006
【図５】
2009284793.tif 000007